(57)【要約】【課題】ＤＶＣ−ＣＩの仕様の範囲外の信号を受信したときもブロックノイズを発生させることが無く、良好な画質を映像表示すること。【解決手段】地上波チューナと衛星チューナを切替えるチューナ切替部と、ＣＩカードのインターフェースであるＣＩ部と、地上波チューナ、或いは、衛星チューナからの信号をＣＩ部に出力するかどうかを切替えるＣＩ切替部と、ＣＩ切替部からの信号を復号して映像出力するデコード部と、チューナ切替部とＣＩ切替部を制御する制御部とを備え、制御部は、衛星チューナから入力する信号がＤＶＢ−ＣＩの仕様の範囲外であれば、ＣＩ切替部が衛星チューナから入力する信号をＣＩ部に入力しないように制御することにより、ＤＶＢ−ＣＩの仕様の範囲外の信号が来たときも、ブロックノイズを発生させることが無く、良好な画質を映像表示することができる。【選択図】図１
2012094932.tif 000002
【特許請求の範囲】
【請求項１】
地上波デジタル放送を受信する地上波チューナと、
衛星デジタル放送を受信する衛星チューナと、
前記地上波チューナと前記衛星チューナを切替えるチューナ切替部と、
ＣＩカードのインターフェースであるＣＩ部と、
前記地上波チューナ、或いは、前記衛星チューナからの信号を前記ＣＩ部に出力するかどうかを切替えるＣＩ切替部と、
前記ＣＩ切替部からの信号を復号して映像出力するデコード部と、
前記チューナ切替部と前記ＣＩ切替部を制御する制御部とを備え、
前記制御部は、前記衛星チューナから入力する信号がＤＶＢ−ＣＩの仕様の範囲内かどうかを確認し、ＤＶＢ−ＣＩの仕様の範囲内であれば、前記ＣＩ切替部が前記衛星チューナから入力する信号を前記ＣＩ部に入力するように制御し、ＤＶＢ−ＣＩの仕様の範囲外であれば、前記ＣＩ切替部が前記衛星チューナから入力する信号を前記ＣＩ部に入力しないように制御することを特徴とするデジタル放送受信装置。
【請求項２】
前記制御部は、前記衛星チューナのチャンネルが選局されたとき、前記ＣＩ切替部が前記衛星チューナから入力する信号を前記ＣＩ部に入力しないように制御し、その後に前記衛星チューナから入力する信号がＤＶＢ−ＣＩの仕様の範囲内かどうかを確認し、ＤＶＢ−ＣＩの仕様の範囲内であれば、前記ＣＩ切替部が前記衛星チューナから入力する信号を前記ＣＩ部に入力するように制御し、ＤＶＢ−ＣＩの仕様の範囲外であれば、前記ＣＩ切替部が前記衛星チューナから入力する信号を前記ＣＩ部に入力しないように制御することを特徴とする請求項１に記載のデジタル放送受信装置。
【発明の詳細な説明】
【技術分野】
【０００１】
本発明は、スクランブル放送の仕様、例えば、ＤＶＢ−ＣＩの仕様（信号のビットレート＜５８Ｍｂｐｓ）の範囲外の信号も受信するデジタル放送受信装置に関するものである。
【背景技術】
【０００２】
近年、日本、北米、欧州を始め、テレビジョン放送のデジタル化が始まり、それぞれの国や地域の放送規格に応じたデジタル放送受信システムが発売されている。例えば、地上波デジタルテレビジョン放送については、国や地域に従って、サービス内容や、導入時の技術水準などが異なるため、以下の３つの規格が勧告されている。日本では、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式が採用され、北米では、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式が採用され、欧州では、ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）方式が採用されている。
【０００３】
その中で、欧州のデジタル放送受信システムでは、暗号化された有料放送をデスクランブルして視聴するアダプタとしてＤＶＢ−ＣＩ（Ｃｏｍｍｏｎ  Ｉｎｔｅｒｆａｃｅ）カード（以下、ＣＩカードと称する）が利用されている。
【０００４】
ＤＶＢ−ＣＩはテレビ受信装置にＣＩカードを付与するインターフェース形式であり、テレビ受信装置とＣＩカードを、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓ  ｓｏｃｉａｔｉｏｎ）インターフェースを用いて接続する。ＣＩカードは内部にデスクランブラ、ＣＰＵを内包している。テレビ受信装置のＣＰＵがＣＩカードに対して、ＥＳ情報及びＣＡ記述子が記述されたＰＭＴ（ＣＡ−ＰＭＴ）をバイナリで送信することで、ＤＶＢ−ＣＩカードがＥＭＭやＥＣＭの操作を行って、自動的に暗号解除を開始する（例えば、特許文献１参照）。なお、ＣＩカードについては非特許文献１に記載されている。
【０００５】
ＣＩカードにより暗号解除を行う信号には様々な仕様制限があり、特に、ビットレートは最大５８Ｍｂｐｓである。現在のところ、市場に存在する放送信号のビットレートにはこれを超えるものは存在しない。そのため、従来のデジタル放送受信システムでは、ＣＩカードをアダプタに挿入した場合、全てのデジタル放送信号がＣＩカードに入るようになっている。つまり、ＣＩカードをアダプタに挿入した状態で、チャンネルの切替を行っても、放送信号は常にＣＩカードに入り続ける仕様となっている。この従来のデジタル放送受信システムのブロック図の一例を図８に、このシステムの動作を図９，１０のフローチャートに示す。
【０００６】
図８のようにテレビ受信装置６００は、受光部６１０、ＣＰＵ６２０、メモリ部６２１、チューナ部６３０が有する地上波チューナ６３１と衛星チューナ６３２、チューナ切替部６３３、ＣＩ部６４０、ＣＩ切替部６４１、デコーダ部６５０、表示部６６０で構成される。
【０００７】
受光部６１０は、ユーザーの選局指示をリモコン信号にて受信し、リモコン信号をＣＰＵ６２０へ送信する。
【０００８】
ＣＰＵ６２０は、ＣＩ部６４０からＣＩカード２００の挿入の有無を取得し、ＣＩカード２００の挿入有無の情報をメモリ部６２１に書き込む。ＣＰＵ６２０は、受光部６１０からチャンネル切替指示があった場合、チャンネル切替指示で指定されたチューナ部６３０（地上波チューナ６３１、または衛星チューナ６３２）にユーザーが希望するチャンネルを選局させる。そしてチューナ切替部６３３に指定されたチューナを選択させる。また、選局したチャンネルの情報をチューナ部６３０から取得し、メモリ部６２１に書き込む。また、ＣＰＵ６２０はデコード部６５０に、表示部６６０への信号を出すかを命令する。
【０００９】
メモリ部６２１は、ＣＰＵ６２０から送られるＣＩカード２００の挿入有無の情報と、地上波チューナ６３１または衛星チューナ６３２で選局したチャンネルの情報を記憶する。また、メモリ部６２１はＣＰＵ６２０で行う処理に必要な情報をＣＰＵ６２０から求められた場合、その情報をＣＰＵ６２０に出力する。
【００１０】
地上波チューナ６３１は、地上波のデジタル放送信号、アナログ放送信号を受信し、ＣＰＵ６２０からの選局の指示を受けて選局周波数をユーザーが選局指示した放送局の周波数を選局する。そして、選局した放送信号をチューナ切替部６３３に送る。また、選局した放送信号の情報をＣＰＵ６２０に送る。なお、ＣＰＵ６２０からの選局指示が後述する衛星チューナ６３２に送られた場合、地上波チューナ６３１は放送信号の送出を停止する。
【００１１】
衛星チューナ６３２は、衛星のデジタル放送信号を受信し、ＣＰＵ６２０からの選局の命令を受けて選局周波数をユーザーが選局指示した放送局の周波数を選局する。そして、選局した放送信号をチューナ切替部６３３に送る。また、選局した放送信号の情報をＣＰＵ６２０に送る。なお、ＣＰＵ６２０からの選局指示が地上波チューナ６３１に送られた場合、衛星チューナ６３２は放送信号の送出を停止する。
【００１２】
チューナ切替部６３３は、ＣＰＵ６２０からの指示を受けて、ユーザーが選局指示した放送信号を送出しているチューナを選択し、選択したチューナからの放送信号をＣＩ切替部６４１に送る。
【００１３】
ＣＩ部６４０は、ＣＩカード２００を挿入するためのＰＣＭＣＩＡインターフェースを持っている。ＣＩ切替部１４１がＣＩ部６４０へ信号を送るように選択されている場合、ＣＩ切替部１４１からの信号はＣＩ部６４０に挿入されているＣＩカード２００に入力される。入力された信号は、ＣＩカード２００によってデスクランブル処理が施された後にＣＩカード２００から出力され、再度ＣＩ切替部６４１へ送られる。また、ＣＩ部６４０にＣＩカード２００が挿入されている場合、ＣＩカード２００が挿入されているという情報、またＣＩカード２００の種類、バージョンなどの情報をＣＰＵ６２０へ送信する。
【００１４】
ＣＩ切替部６４１は、ＣＰＵ１２０からの命令を受けて、チューナ切替部６３３から送られて来る信号をＣＩ部６４０に送るか、デコード部６５０へ送るかを切り替える。ＣＩ部６４０へ信号を送った場合、再度ＣＩ部６４０からデスクランブル処理された信号が送り返され、この信号をデコード部６５０へ送る。
【００１５】
デコーダ部６５０は、ＣＩ切替部６４１から送られてきた信号を復号し、表示部６６０に送る。なお、デコーダ部６５０は、復号処理だけでなく画質向上のための画像処理回路を有していてもよい。
【００１６】
表示部６６０は、デコーダ部６５０から送られてきた信号を表示する。例えば、プラズマディスプレイパネルや、液晶パネル、有機ＥＬパネル、ブラウン管などのディスプレイである。
【００１７】
上記のように構成された従来のデジタル放送受信システムの動作について、図９、１０を参照しながら説明する。
【００１８】
まず、図９は、従来のデジタル放送受信システムのＣＩカード挿入時のフローチャートで、放送を受信中にＣＩカード２００をＰＣＭＣＩＡインターフェースに挿入した際の動作を示している。
【００１９】
ＣＰＵ６２０が、ＣＩカード２００のＰＣＭＣＩＡインターフェースを有するＣＩ部６４０への挿入を検知すると（Ｓ６０１）、無条件に信号の通るパスをＣＩ部６４０を通るパスに切り替える（Ｓ６０４）。
【００２０】
次に、図１０は、従来のデジタル放送受信システムのチャンネル変更時のフローチャートで、ＣＩカード２００を挿入した状態で、デジタル放送受信中にチャンネルを切替えた場合の動作を示している。なお、図１０では地上波チューナ６３１をＴＮＲ１と称し、衛星チューナ６３２をＴＮＲ２と称する。
【００２１】
まず、ＣＩカード２００を挿入した状態で、ＣＰＵ６２０がデジタル放送のチャンネル切替を検知すると（Ｓ７０１）、ユーザーによって選択されたチャンネルが地上波チューナ６３１で受信するチャンネルを選択したかどうかを判断する（Ｓ７０２）。このとき、地上波チューナ６３１が選択されなかったときは衛星チューナ６３２が選択されたことになる。
【００２２】
ステップＳ７０２でユーザーが地上波チューナ６３１で受信するチャンネルを選択した場合、地上波チューナ６３１の選局周波数をユーザーから指定された周波数に変更する（Ｓ７１１）。このとき、ユーザーが選択したチャンネル切替が、衛星チューナ６３２から地上波チューナ６３１への切替かどうかを判断する（Ｓ７１２）。
【００２３】
ステップＳ７１２で衛星チューナ６３２から地上波チューナ６３１に切替える場合、地上波チューナ６３１から信号を送出する（Ｓ７１３）。ただし、このときはまだ図８で示すチューナ切替部６３３が衛星チューナ６３２を選択しているため、ステップＳ７１３での信号送出ではチューナ切替部６３３の前までしか信号は到達していない。その後、チューナ切替部６３３を地上波チューナ６３１に切替えて、地上波チューナ６３１の信号がＣＩ切替部６４１に行くようにする（Ｓ７１４）。さらに、ＣＩ切替部６４１に信号を送出しない衛星チューナ６３２の信号を停止する（Ｓ７１５）。そして、ＣＰＵ６２０は、チャンネル変更後の信号情報を地上波チューナ６３１から取得する（Ｓ７３０）。
【００２４】
一方、ステップＳ７１２で衛星チューナ６３２から地上波チューナ６３１に切替えなかった場合、つまり、地上波チューナ６３１を継続して使用することになった場合は、地上波チューナ６３１の選局周波数を変更するだけで信号パスの切替えは行わない。そのため、ステップＳ７１１の後、ＣＰＵ６２０は、チャンネル変更後の信号情報を地上波チューナ６３１から取得する（Ｓ７３０）。
【００２５】
また、ステップＳ７０２でユーザーが地上波チューナ６３１で受信するチャンネルを選択しなかった場合、つまり、衛星チューナ６３２で受信するチャンネルを選択した場合、衛星チューナ６３２の選局周波数をユーザーから指定された周波数に変更する（Ｓ７２１）。このとき、ユーザーが選択したチャンネル切替えが、地上波チューナ６３１から衛星チューナ６３２への切替えかどうかを判断する（Ｓ７２２）。
【００２６】
ステップＳ７２２で地上波チューナ６３１から衛星チューナ６３２に切替える場合、衛星チューナ６３２から信号を送出する（Ｓ７２３）。ただし、このときはまだ図８で示すチューナ切替部６３３が地上波チューナ６３１を選択しているため、ステップＳ７２３での信号送出ではチューナ切替部６３３の前までしか信号は到達していない。その後、チューナ切替部６３３を衛星チューナ６３２に切替えて、衛星チューナ６３２の信号がＣＩ切替部６４１に行くようにする（Ｓ７２４）。さらに、ＣＩ切替部６４１に信号を送出しない地上波チューナ６３２の信号を停止する（Ｓ７２５）。そして、ＣＰＵ６２０は、チャンネル変更後の信号情報を衛星チューナ６３２から取得する（Ｓ７３０）。
【００２７】
一方、ステップＳ７２２で地上波チューナ６３１から衛星チューナ６３２に切替えなかった場合、つまり、衛星チューナ６３２を継続して使用することになった場合は、衛星チューナ６３２の選局周波数を変更するだけで信号パスの切替は行わない。そのため、ステップＳ７２１の後、ＣＰＵ６２０は、チャンネル変更後の信号情報を地上波チューナ６３１から取得する（Ｓ７３０）。
【００２８】
ステップＳ７３０で、ＣＰＵ６２０は信号情報をチューナから取得後、ＣＩカード２００挿入時に現在受信中のチャンネル情報を参照できるように、チャンネル変更後の信号情報をメモリ部１２１に格納する（Ｓ２４０）。そしてチューナ部６３０からの信号を表示部６６０に表示する（Ｓ６８０）。
【特許文献１】特開２００８−０６６７６４号公報  図１５
【非特許文献１】ＥＵＲＯＰＥＡＮ  ＳＴＡＮＤＡＲＤ  ＥＮ５０２２１，Ｃｏｍｍｏｎ  Ｉｎｔｅｒｆａｃｅ  Ｓｐｅｃｉｆｉｃａｔｉｏｎ  ｆｏｒ  Ｃｏｎｄｉｔｉｏｎａｌ  Ａｃｃｅｓｓ  ａｎｄ  ｏｔｈｅｒ  Ｄｉｇｉｔａｌ  Ｖｉｄｅｏ  Ｂｒｏａｄｃａｓｔｉｎｇ  Ｄｅｃｏｄｅｒ  Ａｐｐｌｉｃａｔｉｏｎｓ，Ｅｎｇｌｉｓｈ  Ｖｅｒｓｉｏｎ，Ｒｅｆ．Ｎｏ．ＥＮ５０２２１：１９９６Ｅ，Ｆｅｂｒｕａｒｙ  １９９７
【発明の開示】
【発明が解決しようとする課題】
【００２９】
しかしながら、欧州の衛星放送の信号であるＤＶＢ−Ｓ２では理論上、２７．５〜８２．４Ｍｂｐｓのビットレート（シンボルレート２７．７７６Ｍｂａｕｄの場合）をとりうることから、今後、ＤＶＢ−ＣＩの仕様を超える速さのビットレートの放送信号が導入される可能性がある。
【００３０】
従来のデジタル放送受信システムでは、ＣＩカードをＰＣＭＣＩＡインターフェースに挿入した場合、無料放送では信号がＣＩカードを通らなくても放送を視聴することが可能であるにもかかわらず、アナログ信号以外は全てＣＩカードに入るような仕様となっている。そのため、ＤＶＢ−ＣＩの仕様を超える速さのビットレートの放送信号が導入された場合、従来のデジタル放送受信システムをそのまま用いると、ＤＶＢ−ＣＩの仕様の範囲外の放送信号がＣＩカードに入ることになり、ブロックノイズなどの不具合を引き起こす恐れがあるという課題があった。そこで本発明は、前記従来の課題を解決するもので、ＤＶＢ−ＣＩの仕様の範囲外の放送信号がＣＩカードに入らないようにする受信信号を切り替えるデジタル放送受信システムを提供することを目的とする。
【課題を解決するための手段】
【００３１】
前記従来の課題を解決するために、本発明のデジタル放送受信装置は、地上波デジタル放送を受信する地上波チューナと、衛星デジタル放送を受信する衛星チューナと、地上波チューナと衛星チューナを切替えるチューナ切替部と、ＣＩカードのインターフェースであるＣＩ部と、地上波チューナ、或いは、衛星チューナからの信号をＣＩ部に出力するかどうかを切替えるＣＩ切替部と、ＣＩ切替部からの信号を復号して映像出力するデコード部と、チューナ切替部とＣＩ切替部を制御する制御部とを備え、制御部は、衛星チューナから入力する信号がＤＶＢ−ＣＩの仕様の範囲内かどうかを確認し、ＤＶＢ−ＣＩの仕様の範囲内であれば、ＣＩ切替部が衛星チューナから入力する信号をＣＩ部に入力するように制御し、ＤＶＢ−ＣＩの仕様の範囲外であれば、ＣＩ切替部が衛星チューナから入力する信号をＣＩ部に入力しないように制御する。
【００３２】
本構成によって、ＤＶＢ−ＣＩの仕様の範囲外の信号がきたときも、信号がＣＩカードに入力されないのでブロックノイズを発生させることが無く、良好な画質を映像表示することができる。
【発明の効果】
【００３３】
以上のように、本発明のデジタル放送受信システムによれば、ＤＶＣ−ＣＩの仕様の範囲外の速さのビットレートの放送信号を受信したとき、信号が通過するパスをＤＶＣ−ＣＩカードを通らないパスに変更することで、ブロックノイズなどの不具合を引き起こす恐れを削減し、情報量の多い更なる高画質、高音質の放送や充実したデータ放送を視聴することが出来る。
【発明を実施するための最良の形態】
【００３４】
以下本発明を実施する為の最良の形態について図面を参照しながら説明する。
（実施の形態１）
本発明の実施の形態１にかかるデジタル放送受信システムは、テレビ受信装置で放送信号を受信している状態でＣＩカードをテレビ受信装置に挿入するとき、またはＣＩカードをテレビ受信装置に挿入した状態で、放送信号のチャンネルを切替えたときに切替後の受信信号がＤＶＢ−ＣＩの仕様外のものだった場合、その信号がＣＩカードに入らないように信号のパスを切替える装置である。図１に本発明の実施の形態１におけるデジタル放送受信システムの概念図を示す。
【００３５】
テレビ受信装置１００はＣＩカード２００を挿入する為のＰＣＭＣＩＡインターフェースを有するＣＩ部１４０を備えている。そして、テレビ受信装置１００はＣＩカード２００が挿入されたという情報を判定する構成と、選局された放送信号の情報がＤＶＢ−ＣＩの仕様を満たすものであるかを判定する構成を内蔵している。
【００３６】
次に、デジタル放送受信システムの回路構成について詳細に説明する。図２は本発明の実施の形態１におけるデジタル放送受信システムのブロック図である。
【００３７】
図２のようにテレビ受信装置１００は、受光部１１０、ＣＰＵ１２０、メモリ部１２１、チューナ部１３０が有する地上波チューナ１３１と衛星チューナ１３２、チューナ切替部１３３、ＣＩ部１４０、ＣＩ切替部１４１、デコーダ部１５０、表示部１６０で構成される。図２の外観は、図８で示した従来のブロック図とほぼ同じである。
【００３８】
受光部１１０は、ユーザーの選局指示をリモコン信号にて受信し、リモコン信号をＣＰＵ１２０へ送信する。
【００３９】
ＣＰＵ１２０は、ＣＩ部１４０からＣＩカード２００の挿入の有無を取得し、ＣＩカード２００の挿入有無の情報Ａをメモリ部１２１に書き込む。ＣＰＵ１２０は、受光部１１０からチャンネル切替え指示があった場合、チャンネル切替え指示で指定されたチューナ部１３０（地上波チューナ１３１、または衛星チューナ１３２）にユーザーが希望するチャンネルを選局させる。そしてチューナ切替部１３３に指定されたチューナを選択させる。また、選局したチャンネルの情報Ｂをチューナ部１３０から取得し、メモリ部１２１に書き込む。そして、衛星チューナ１３２で放送信号を受信している場合は信号のビットレートを計算し、それがＤＶＢ−ＣＩの仕様の範囲内（ビットレートが５８Ｍｂｐｓ以下）か、範囲外（ビットレートが５８Ｍｂｐｓ以上）かという情報Ｃをメモリ部１２１に書き込む。これら情報Ａ、Ｂ、Ｃを元に、ＣＩ部１４０へ信号を送る必要があるかを判断し、ＣＩ切替部１４１にチューナ切替部１３３からの入力信号をＣＩ部１４０またはデコーダ部１５０のどちらに出力するか命令を出す。また、ＣＰＵ１２０はデコード部１５０に、表示部１６０への信号を出すように命令する。
【００４０】
メモリ部１２１は、ＣＰＵ１２０から送られるＣＩカード２００の挿入有無の情報Ａと、地上波チューナ１３１または衛星チューナ１３２で選局したチャンネルの情報Ｂと、衛星チューナ１３２で放送信号を受信している場合は信号のビットレートを計算し、それがＤＶＢ−ＣＩの仕様の範囲内か、範囲外かという情報Ｃを記憶する。また、メモリ部１２１はＣＰＵ１２０で行う処理に必要な情報をＣＰＵ１２０から求められた場合、その情報をＣＰＵ１２０に出力する。
【００４１】
地上波チューナ１３１は、地上波のデジタル放送信号、アナログ放送信号を受信し、ＣＰＵ１２０からの選局の指示を受けて選局周波数をユーザーが選局指示した放送局の周波数を選局する。そして、選局した放送信号をチューナ切替部１３３に送る。また、選局した放送信号の情報をＣＰＵ１２０に送る。なお、ＣＰＵ１２０からの選局指示が後述する衛星チューナ１３２に送られた場合、地上波チューナ１３１は放送信号の送出を停止する。なお、地上波チューナ１３１から送出するデジタル放送信号ＤＶＢ−Ｔ、Ｔ２はＤＶＢ−Ｓ、Ｓ２に比べてビットレートが遅いため、地上波チューナ１３１からのデジタル放送信号はＤＶＢ−ＣＩの仕様範囲外のビットレートをとり得ないことを前提としている。また、地上波チューナ１３１はＣＡＴＶ放送の受信も可能である。
【００４２】
衛星チューナ１３２は、衛星のデジタル放送信号を受信し、ＣＰＵ１２０からの選局の命令を受けて選局周波数をユーザーが選局指示した放送局の周波数を選局する。そして、選局した放送信号をチューナ切替部１３３に送る。また、選局した放送信号の情報をＣＰＵ１２０に送る。なお、ＣＰＵ１２０からの選局指示が地上波チューナ１３１に送られた場合、衛星チューナ１３２は放送信号の送出を停止する。
【００４３】
チューナ切替部１３３は、ＣＰＵ１２０からの指示を受けて、ユーザーが選局指示した放送信号を送出しているチューナを選択し、選択したチューナからの放送信号をＣＩ切替部１４１に送る。
【００４４】
ＣＩ部１４０は、ＣＩカード２００を挿入するためのＰＣＭＣＩＡインターフェースを持っている。ＣＩ切替部１４１がＣＩ部１４０へ信号を送るように選択されている場合、ＣＩ切替部１４１からの信号はＣＩ部１４０に挿入されているＣＩカード２００に入力される。入力された信号は、ＣＩカード２００によってデスクランブル処理が施された後にＣＩカード２００から出力され、再度ＣＩ切替部１４１へ送られる。また、ＣＩ部１４０にＣＩカード２００が挿入されている場合、ＣＩカード２００が挿入されているという情報、またＣＩカード２００の種類、バージョンなどの情報をＣＰＵ１２０へ送信する。
【００４５】
ＣＩ切替部１４１は、ＣＰＵ１２０からの命令を受けて、チューナ切替部１３３から送られて来る信号をＣＩ部１４０に送るか、デコード部１５０へ送るかを切り替える。ＣＩ部１４０へ信号を送った場合、再度ＣＩ部１４０からデスクランブル処理された信号が送り返され、この信号をデコード部１５０へ送る。
【００４６】
デコーダ部１５０は、ＣＩ切替部１４１から送られてきた信号を復号し、表示部１６０に送る。なお、デコーダ部１５０は、復号処理だけでなく画質向上のための画像処理回路を有していてもよい。
【００４７】
表示部１６０は、デコーダ部１５０から送られてきた信号を表示する。例えば、プラズマディスプレイパネルや、液晶パネル、有機ＥＬパネル、ブラウン管などのディスプレイである。
【００４８】
上記のように構成された本発明のデジタル放送受信システムの動作について、図３乃至５を参照しながら説明する。
【００４９】
まず、図３は、本発明の実施の形態１におけるデジタル放送受信システムのＣＩカード挿入時のフローチャートで、放送を受信中にＣＩカード２００をＰＣＭＣＩＡインターフェースに挿入した際の動作を示している。
【００５０】
ＣＰＵ１２０が、ＣＩカード２００のＰＣＭＣＩＡインターフェースを有するＣＩ部１４０への挿入を検知すると（Ｓ１０１）、メモリ部１２１に蓄積されている受信中の信号情報を読み出す（Ｓ１０２）。そして、ステップＳ１０２で読み出した信号情報から受信している信号がＤＶＢ−ＣＩの仕様（信号のビットレート＜５８Ｍｂｐｓ）の範囲内かどうかを判断する（Ｓ１０３）。ステップＳ１０３でＤＶＢ−ＣＩの範囲内（信号のビットレート＜５８Ｍｂｐｓ）であった場合、信号の通るパスをＣＩ部１４０を通るパスに変更する(Ｓ１０４)。一方、ステップＳ１０３でＤＶＢ−ＣＩの範囲外（信号のビットレート≧５８Ｍｂｐｓ）であった場合、信号の通るパスをＣＩ部１４０を通らないパスのままとする（Ｓ１０５）。
【００５１】
次に、図４及び図５は、本発明の実施の形態１におけるデジタル放送受信システムのチャンネル変更時のフローチャートで、ＣＩカード２００を挿入した状態で、デジタル放送受信中にチャンネルを切替えた場合の動作を示している。なお、図４、５では地上波チューナ１３１をＴＮＲ１と称し、衛星チューナ１３２をＴＮＲ２と称する。
【００５２】
まず、ＣＩカード２００を挿入した状態で、ＣＰＵ１２０がデジタル放送のチャンネル切替えを検知すると（Ｓ２０１）、ユーザーによって選択されたチャンネルが地上波チューナ１３１で受信するチャンネルを選択したかどうかを判断する（Ｓ２０２）。このとき、地上波チューナ１３１が選択されなかったときは衛星チューナ１３２が選択されたことになる。
【００５３】
ステップＳ２０２でユーザーが地上波チューナ１３１で受信するチャンネルを選択した場合、地上波チューナ１３１の選局周波数をユーザーから指定された周波数に変更する（Ｓ２１１）。このとき、ユーザーが選択したチャンネル切替えが、衛星チューナ１３２から地上波チューナ１３１への切替えかどうかを判断する（Ｓ２１２）。
【００５４】
ステップＳ２１２で衛星チューナ１３２から地上波チューナ１３１に切替える場合、地上波チューナ１３１から信号を送出する（Ｓ２１３）。ただし、このときはまだ図２で示すチューナ切替部１３３が衛星チューナ１３２を選択しているため、ステップＳ２１３での信号送出ではチューナ切替部１３３の前までしか信号は到達していない。その後、チューナ切替部１３３を地上波チューナ１３１に切替えて、地上波チューナ１３１の信号がＣＩ切替部１４１に行くようにする（Ｓ２１４）。ステップＳ２１３からＳ２１４へのフローはＣＩ切替部１４１へ行く信号がチャンネル切替え時に途切れないような順序となっている。さらに、輻射対策としてＣＩ切替部１４１に信号を送出しない衛星チューナ１３２の信号を停止する（Ｓ２１５）。そして、ＣＰＵ１２０は、チャンネル変更後の信号情報を地上波チューナ１３１から取得する（Ｓ２３０）。
【００５５】
一方、ステップＳ２１２で衛星チューナ１３２から地上波チューナ１３１に切替えなかった場合、つまり、地上波チューナ１３１を継続して使用することになった場合は、地上波チューナ１３１の選局周波数を変更するだけでユーザーが選択した放送信号がＣＩ切替部１４１を経由し、ＣＩ部１４０を通ってデコーダ部１５０に送出されるので、信号パスの切替を行う必要がない。そのため、ステップＳ２１１の後、ＣＰＵ１２０は、チャンネル変更後の信号情報を地上波チューナ１３１から取得する（Ｓ２３０）。
【００５６】
また、ステップＳ２０２でユーザーが地上波チューナ１３１で受信するチャンネルを選択しなかった場合、つまり、衛星チューナ１３２で受信するチャンネルを選択した場合、衛星チューナ１３２で受信する放送信号にはＤＶＢ−ＣＩの仕様を超えるビットレートが含まれ得るので、はじめに信号の通るパスをＣＩ部１４０を通らないパスに切替える（Ｓ２２０）。その後、衛星チューナ１３２の選局周波数をユーザーから指定された周波数に変更する（Ｓ２２１）。このとき、ユーザーが選択したチャンネル切替が、地上波チューナ１３１から衛星チューナ１３２への切替かどうかを判断する（Ｓ２２２）。
【００５７】
ステップＳ２２２で地上波チューナ１３１から衛星チューナ１３２に切替える場合、衛星チューナ１３２から信号を送出する（Ｓ２２３）。その後、チューナ切替部１３３を衛星チューナ１３２に接続して、衛星チューナ１３２の信号がＣＩ切替部１４１に行くようにする（Ｓ２２４）。さらに、輻射対策としてＣＩ切替部１４１に信号を送出しない地上波チューナ１３１からの信号を停止する（Ｓ２２５）。そして、ＣＰＵ１２０は、チャンネル変更後の信号情報を衛星チューナ１３１から取得する（Ｓ２３０）。
【００５８】
一方、ステップＳ２１２で地上波チューナ１３１から衛星チューナ１３２に切替えなかった場合、つまり、衛星チューナ１３２を継続して使用することになった場合は、衛星チューナ１３２の選局周波数を変更するだけでユーザーが選択した放送信号がＣＩ切替部１４１を経由し、ＣＩ部１４０を通らないでデコーダ部１５０に送出されるので、信号パスの切替を行う必要がない。そのため、ステップＳ２２１の後、ＣＰＵ１２０は、チャンネル変更後の信号情報を衛星チューナ１３２から取得する（Ｓ２３０）。
【００５９】
ステップＳ２３０で、ＣＰＵ１２０は信号情報をチューナから取得後、ＣＩカード２００挿入時に現在受信中のチャンネル情報を参照できるように、チャンネル変更後の信号情報をメモリ部１２１に格納する（Ｓ２４０）。ここで、再度、ユーザーによって選択されたチャンネルが地上波チューナ１３２で受信するチャンネルを選択したかどうかを判断する（Ｓ２５０）。
【００６０】
ステップＳ２５０でユーザーが地上波チューナ１３１で受信するチャンネルを選択した場合、信号の通るパスをＣＩ部１４０を通るパスにする（Ｓ２７０）。そして地上波チューナ１３１からの信号を表示部１６０に表示する（Ｓ２８０）。
【００６１】
一方、ステップＳ２５０でユーザーが地上波チューナ１３１で受信するチャンネルを選択しなかった場合、つまり、衛星チューナ１３２で受信するチャンネルを選択した場合、ＣＰＵ１２０はステップＳ２３０で得られた情報から衛星チューナ１３２から送出される衛星信号のビットレートを計算する（Ｓ２６０）。そして、ＣＰＵ１２０は、計算で得られた現在受信中の信号のビットレートがＤＶＢ−ＣＩの仕様（信号のビットレート＜５８Ｍｂｐｓ）の範囲内かどうかを判断する（Ｓ２６１）。
【００６２】
ステップＳ２６１で、ＤＶＢ−ＣＩの仕様（信号のビットレート＜５８Ｍｂｐｓ）の範囲内であった場合、信号の通るパスをＣＩ部１４０を通るパスにする（Ｓ２７０）。そして衛星チューナ１３２からの信号を表示部１６０に表示する（Ｓ２８０）。
【００６３】
一方、ステップＳ２６１で、ＤＶＢ−ＣＩの仕様（信号のビットレート≧５８Ｍｂｐｓ）の範囲内でなかった場合、信号の通るパスはＣＩ部１４０を通らないパスにする（Ｓ２７１）。その後、衛星チューナ１３２からの信号を表示部１６０に表示する（Ｓ２８０）。
【００６４】
かかる構成によれば、衛星放送の信号のビットレートを判断して、自動的に信号が通るパスを切替えるため、ＤＶＢ−ＣＩの仕様を超えた衛星放送の信号を受信する際でもユーザーは特に何もすることなく、衛星放送の番組を楽しむことが出来る。
【００６５】
特に、本構成を用いると、衛星放送のＤＶＢ−ＣＩの仕様の範囲外（信号のビットレート≧５８Ｍｂｐｓ）でスクランブルの入っていない無料放送の信号はＣＩカード２００に入力される必要がないため、ユーザー自身がＣＩカードを抜差しする必要なしにブロックノイズ等の不具合を防ぐことができる。
【００６６】
なお、本実施の形態において、地上波デジタル放送はＤＶＢ−ＣＩの仕様（信号のビットレート＜５８Ｍｂｐｓ）であるとしたが、地上波デジタル放送、ケーブル放送にもＤＶＢ−ＣＩの仕様（信号のビットレート＜５８Ｍｂｐｓ）の範囲外が入る場合があっても良い。その場合は、図６、図７の本発明の実施の形態１におけるデジタル放送受信システムのチャンネル変更時のフローチャートのように、ステップ２０２で地上波チューナ１３１が選択されたときも、はじめに信号の通るパスをＣＩ部１４０を通らないパスに切替える（Ｓ２１０）。そして、ステップＳ２４０で、チャンネル変更後の信号情報をメモリ部１２１に格納した後、ＣＰＵ１２０はステップＳ２３０で得られた情報から衛星チューナ１３２から送出される衛星信号のビットレートを計算する（Ｓ２６０）。その他は、図４、図５のフローチャートと同じである。
【００６７】
なお、本実施の形態において、ＣＩ部１４０への制御をＤＶＢ−ＣＩの仕様（信号のビットレート＜５８Ｍｂｐｓ）の範囲内かどうかで判断したが、ＤＶＢ−ＣＩ＋の仕様（信号のビットレート＜９６Ｍｂｐｓ）の範囲内かどうかで判断しても良い。
【００６８】
なお、本実施の形態において、ＣＩ部１４０への制御をＤＶＢ−ＣＩの仕様（信号のビットレート＜５８Ｍｂｐｓ）の範囲内かどうかで判断したが、任意のスクランブル放送の仕様（信号のビットレート＜所定値、特定の放送方式  など）の範囲内かどうかで判断しても良い。
【産業上の利用可能性】
【００６９】
本発明にかかるデジタル受信装置は、スクランブル放送の仕様、例えば、ＤＶＢ−ＣＩの仕様（信号のビットレート＜５８Ｍｂｐｓ）の範囲外の信号を受信したときも、ブロックノイズを発生させることが無く、良好な画質を映像表示することが可能になるので、デジタル放送受信装置等として有用である。
【図面の簡単な説明】
【００７０】
【図１】本発明の実施の形態１におけるデジタル放送受信システムの概念図
【図２】本発明の実施の形態２におけるデジタル放送受信システムのブロック図
【図３】本発明の実施の形態１におけるデジタル放送受信システムのＣＩカード挿入時のフローチャート
【図４】本発明の実施の形態１におけるデジタル放送受信システムのチャンネル変更時のフローチャート
【図５】本発明の実施の形態１におけるデジタル放送受信システムのチャンネル変更時のフローチャート
【図６】本発明の実施の形態１におけるデジタル放送受信システムのチャンネル変更時のフローチャート
【図７】本発明の実施の形態１におけるデジタル放送受信システムのチャンネル変更時のフローチャート
【図８】従来のデジタル放送受信システムのブロック図
【図９】従来のデジタル放送受信システムのＣＩカード挿入時のフローチャート
【図１０】従来のデジタル放送受信システムのチャンネル変更時のフローチャート
【符号の説明】
【００７１】
１００    テレビ受信装置
１１０    受光部
１２０    ＣＰＵ
１２１    メモリ部
１３０    チューナ部
１３１    地上波チューナ
１３２    衛星チューナ
１３３    チューナ切替部
１４０    ＣＩ部
１４１    ＣＩ切替部
１５０    デコーダ部
１６０    表示部
２００    ＣＩカード
【図１】
2012094932.tif 000003
【図２】
2012094932.tif 000004
【図３】
2012094932.tif 000005
【図４】
2012094932.tif 000006
【図５】
2012094932.tif 000007
【図６】
2012094932.tif 000008
【図７】
2012094932.tif 000009
【図８】
2012094932.tif 000010
【図９】
2012094932.tif 000011
【図１０】
2012094932.tif 000012